(57)【特許請求の範囲】
【請求項１】
一端側を分水孔との密着部とした樹脂スリーブの他端側に金属スリーブの一端側を嵌め入れて仮組みの状態とした分水用コアと、前記金属スリーブ側から前記分水用コアに挿入され、該金属スリーブをさらに前記樹脂スリーブの前記密着部に向かって圧入可能なヘッド部を有した装着治具からなり、前記ヘッド部にはその外周面から出没自在な可動凸部を突出方向に付勢したプランジャを設け、前記ヘッド部を前記金属スリーブ側から挿入したときは、前記可動凸部が前記金属スリーブに弾発的に係合する一方、前記ヘッド部を前記樹脂スリーブ側から挿入したときは、前記可動凸部は前記樹脂スリーブに係合しないことを特徴とする分水用コアの装着装置。
【請求項２】
金属スリーブの内周面は全長にわたって樹脂スリーブの密着部よりも小さな内径によって均一に形成した請求項１記載の分水用コアの装着装置。
【請求項３】
装着治具のヘッド部を前記樹脂スリーブ側から挿入したとき、可動凸部は最大量突出し、その先端と密着部の内周面との間には隙間が生じる請求項１または２記載の分水用コアの装着装置。
【請求項４】
樹脂スリーブは密着部の内径を均一とする一方、金属スリーブには内周面一部に環状凹部を内周方向に設けた請求項１、２または３記載の分水用コアの装着装置。
【請求項５】
装着治具のヘッド部は、金属スリーブ側から挿入したとき、前記金属スリーブの他端上縁部と当接可能な外向きのフランジを有し、当該フランジが前記金属スリーブの他端上縁部に当接したときに、前記ヘッド部の可動凸部が前記金属スリーブの環状凹部に弾発的に係合するように、前記ヘッド部と前記金属スリーブそれぞれにプランジャと前記環状凹部を設けた請求項４記載の分水用コアの装着装置。
【請求項６】
プランジャは、可動凸部がボールによって構成されたボールプランジャである請求項１から５のうち何れか一項記載の分水用コアの装着装置。
【発明の詳細な説明】
【技術分野】
【０００１】
この発明は、水道本管を分岐して支管を設けるに際し、水道本管に穿設した分水孔に装着治具によって密着状態で装着する分水用コアを、その装着前の準備工程において、前記装着治具に脱落しない程度に保持しておくことができる分水用コアの装着装置に関するものである。
【背景技術】
【０００２】
水道本管を分岐して支管を設ける際、まず水道本管に分水孔を穿設し、この分水孔にコア（「防食スリーブ」と称される場合もある。）を密着状態で装着する。これにより、分水孔の周囲からの漏水や腐食を防止する。そして、このような分水用コアとして、樹脂スリーブと金属スリーブを組み合わせたものが公知である（特許文献１〜３）。
【０００３】
また、分水用コアを分水孔に装着する治具も公知であり、特に、特許文献４には、仕様が異なる数種のコアに対応する多仕様密着コア対応型の挿入棒（「ストレッチャー」と称される場合もある。）が開示されている。
【０００４】
そして、実際の施工に際しては、分水用コア１０については、図９に示したように、当初、樹脂スリーブ１１に金属スリーブ１２を一段だけ嵌め込んだ仮組みの状態にあって、その金属スリーブ１２側から装着治具の先端側に取り付けられるヘッド部分２０（「ストレッチャーヘッド」と称される場合もある。）を挿入することで、樹脂スリーブ１１の内周面に設けた環状の凸部１３がヘッド部分２０の外周に設けた環状の凹部２１に係合して、分水用コア１０を下向きとしても当該ヘッド部分２０から脱落しないように保持（セット）する。次に、分水用コア１０をヘッド部分２０にセットした状態で、その樹脂スリーブ１１側から先に穿設しておいた分水孔（図示せず）に位置決め・挿入した後、装着治具を操作してヘッド部分２０を分水孔に向かって押下すれば、分水孔に定置された樹脂スリーブ１１内に金属スリーブ１２が圧入し、この圧入によって樹脂スリーブ１１が拡径することで、分水用コア１０を分水孔に密着状態で装着できる。その後は、装着治具を引き上げればヘッド部分２０の分水用コア１０とのセット状態が容易に解除され、当該装着治具だけを撤去することができる。
【０００５】
このように、水道本管の分岐工事に際しては、仮組み状態の分水用コア１０を予め装着治具のヘッド部分２０に脱落しない程度の力で保持（セット）する構成とすれば、分水用コア１０を装着治具に一体のものとして分水孔への位置決めから装着まで一環して行え、作業性がよい。
【先行技術文献】
【特許文献】
【０００６】
【特許文献１】実開平７−２３８９２号公報
【特許文献２】特開２００１−３０４４８７号公報
【特許文献３】特開２００６−１００４７号公報
【特許文献４】特開２００６−９０３７０号公報
【発明の概要】
【発明が解決しようとする課題】
【０００７】
上述のように、分水用コア１０には装着向きがある。したがって、分水孔への装着準備として、仮組み状態にある分水用コア１０を装着治具のヘッド部分２０にセットする際は、必ず樹脂スリーブ１１を下向き（分水孔に先に挿通する向き）としなければならない。言い換えれば、金属スリーブ１２側から装着治具のヘッド部分２０を挿入してセット状態としなければならないが、現場では、これとは逆向きに、即ち、樹脂スリーブ１１側からヘッド部分２０を挿入してしまうことがある。
【０００８】
この場合、図９に示した分水用コア１０のように、樹脂スリーブ１１の金属スリーブ１２が圧入する部分の内面に凸部１３が形成されたものであると、図１０に示したように、樹脂スリーブ１１の凸部１３とヘッド部分２０の外周面との摩擦によって、逆向きの状態でも、仮組み状態の分水用コア１０が装着治具のヘッド部分２０から脱落しない状態でセットされてしまう。このため、作業員は分水用コア１０が不正な向きであることに気付かないまま、分水孔への装着作業を行ってしまうという問題があった。このような逆向きの状態で装着作業を行っても、分水用コア１０の機能が発揮されないことはもちろんのこと、分水孔を傷めたり、水道本管にも悪影響を及ぼす恐れが高まる。
【０００９】
本発明は上述した課題を解決するためになされたもので、その目的とするところは、分水用コアが正しい装着向きである場合のみ、その装着治具に脱落しないようにセットすることができる分水用コアの装着装置を提供することである。
【課題を解決するための手段】
【００１０】
上述した目的を達成するために本発明では、一端側を分水孔との密着部とした樹脂スリーブの他端側に金属スリーブの一端側を嵌め入れ仮組みの状態とした分水用コアと、前記金属スリーブ側から前記分水用コアに挿入され、該金属スリーブをさらに前記樹脂スリーブの前記密着部に向かって圧入可能なヘッド部を有した装着治具とを備える。さらに、前記ヘッド部にはその外周面から出没自在な可動凸部を突出方向に付勢したプランジャを設けている。
【００１１】
そして、前記ヘッド部を前記金属スリーブ側から挿入したときは、前記可動凸部が前記金属スリーブに弾発的に係合する。これによって、前記分水用コアは前記ヘッド部に保持可能となる。この間、可動凸部は、ヘッド部の挿入開始から前記係合に至るまでは、金属スリーブの内周面によって付勢力に抗してヘッド部の内部に埋没する向きに引っ込み、所定位置に到達した瞬間に外方に突出し、該金属スリーブに弾発的に係合する。これによって分水用コアの装着治具に対するセットが完了し、この状態でヘッド部を下向きとしても、分水用コアは脱落せずにヘッド部に保持された状態を維持する。
【００１２】
分水用コアのセットが完了すれば、従来と同じ要領で、樹脂スリーブ（密着部）を分岐孔に挿入し、装着治具のヘッド部を押下して金属スリーブを樹脂スリーブの密着部に圧入すれば、当該密着部が拡径して分水孔に対して密着状態となり分水用コアの装着が完了する。そして、装着完了後は、装着治具を引き上げれば、プランジャの可動凸部が付勢力に抗してヘッド部の内部に埋没して、ヘッド部と共に装着治具全体を撤去することができる。
【００１３】
一方、前記ヘッド部を前記樹脂スリーブ側から挿入したときは、前記可動凸部が樹脂スリーブに係合しない。これによって、分水用コアはヘッド部から脱落自在な状態となる。つまり、ヘッド部を仮組み状態にある分水用コアに逆向きに挿入すると、可動凸部が全く作用せず、ヘッド部を下向きにすれば分水用コアが自由落下によって容易に脱落するものである。したがって、分水用コアが脱落することで、そのままの状態では分水用コアを分岐孔に装着することができず、現場の作業者もヘッド部に対する分水用コアのセット向きが誤っていることに気付き、正しい向きにセットし直すことができる。
【００１４】
分水用コアを正規の向きにセットした場合、より確実にヘッド部に保持させる構成としては、金属スリーブの内周面は全長にわたって樹脂スリーブの密着部よりも小さな内径によって均一に形成することが好ましい。
【００１５】
一方、分水用コアを逆向きにセットした場合、より確実にヘッド部から脱落させる構成としては、装着治具のヘッド部を前記樹脂スリーブ側から挿入したとき、可動凸部は最大量突出し、且つ、最大量突出した可動凸部の先端と前記密着部の内周面との間には隙間が生じるように構成することが好ましい。
【００１６】
また、より具体的な手段として、前記樹脂スリーブは前記密着部の内径を均一とする一方、前記金属スリーブには内周面一部に環状凹部を円周方向に設けることが好ましく、さらに、装着治具のヘッド部は、金属スリーブ側から挿入したとき、前記金属スリーブの他端上縁部と当接可能な外向きのフランジを有し、当該フランジが前記金属スリーブの他端上縁部に当接したときに、前記ヘッド部の可動凸部が前記金属スリーブの環状凹部に弾発的に係合するように、前記ヘッド部と前記金属スリーブそれぞれにプランジャと前記環状凹部を設けることによって、ヘッド部に仮組み状態の分水用コアをセットするに際して、ヘッド部の過度な挿入が規制され、確実に可動凸部を環状凹部に係合させることができる。
【００１７】
なお、プランジャは、可動凸部がボールによって構成されたボールプランジャであれば、ボールのストローク長を短くできて、プランジャを小型化できると共に、どの方向にあってもボールを安定してストロークさせることができる。
【００１８】
これに対して、可動凸部がピンによって構成されたピンプランジャであれば、環状凹部への係合力が高まり、ヘッド部にセットしたときの保持力を高めることができる。
【発明の効果】
【００１９】
本発明によれば、分水用コアを分水孔に装着する前の準備として、仮組みの状態にある分水用コア装着治具のヘッド部にセットするに当たり、その挿入向きが正しい場合のみ分水用コアをヘッド部に保持して、そのまま分水孔への装着作業を継続でき、逆に、挿入向きが誤っているときは、分水用コアが脱落自在となるので、未然に装着不良を防止することができる。
【図面の簡単な説明】
【００２０】
【図１】本発明の第一実施形態に係る分水用コアの半裁正面図
【図２】同、装着治具のヘッド部の半裁正面図
【図３】同、ヘッド部の分水用コアに対する挿入初期の状態を示した半裁正面図
【図４】同、ヘッド部に分水用コアがセットされた状態を示した半裁正面図
【図５】同、ヘッド部を分水用コアに対して逆向きの挿入した状態を示した半裁正面図
【図６】本発明の第二実施形態に係るヘッド部の半裁正面図
【図７】同、ヘッド部に分水用コアがセットされた状態を示した半裁正面図
【図８】同、ヘッド部を分水用コアに対して逆向きの挿入した状態を示した半裁正面図
【図９】従来の分水用コアの装着装置を示した半裁正面図
【図１０】同、従来装置の分水用コアを逆向きに付けたときの半裁正面図
【発明を実施するための形態】
【００２１】
以下、本発明の好ましい実施の形態を添付した図面に従って説明する。図１は、本発明装置の第一の実施形態に係る分水用コア１を、図２は、これに対応する装着治具のヘッド部２をそれぞれ示したものである。
【００２２】
分水用コア１は、樹脂スリーブ３と金属スリーブ４の組合せからなる。樹脂スリーブ３は、この実施形態において例えばポリエチレン製であり、下段に円筒状の密着部３ａを備え、その上段に、前記密着部３ａよりも大径の円筒状の係止段部３ｂを軸方向に連続して設けている。密着部３ａは水道本管等に穿設した分水孔（図示せず）に挿入可能な外径を有し、係止段部３ｂの外径は分水孔よりも大径である。また、密着部３ａは内径が均一であり、係止段部３ｂは内径を密着部３ａの内径よりも大径として、後述する金属スリーブ４の一端側を一部嵌め込んで、仮組みの状態を実現する。そして、その装着にあっては、係止段部３ｂが分水孔の上面側に係止するまで密着部３ａを分水孔に挿入し、この状態で、後述する金属スリーブ４の圧入によって密着部３ａを拡径させて、その外周面を分水孔の孔周に密着させるものである。この装着態様自体は、従来の分水用コアと同じである。
【００２３】
これに対して金属スリーブ４は、例えばステンレス製であり、一端側のテーパ状先端部４ａから内外とも径が均一なストレート部４ｂを介して外周面が他端側に向かって拡開する拡径部４ｃを有している。このうちストレート部４ｂの内径は樹脂スリーブ４の密着部３ａの内径よりも小径に設定される。また、他端側の口部４ｅはテーパ状として、その周囲には平坦な上縁部４ｄを設けている。そして、拡径部４ｃの内周面一部には環状凹部４ｆを内周方向に設けている。この環状凹部４ｆについて、金属スリーブ４の中心軸からの長さ（環状凹部４ｆの径）は、ストレート部４ｂの内径よりも大きいが、樹脂スリーブ４の密着部３ａの内径よりも小さく設定している。
【００２４】
一方、装着治具のヘッド部２は、装着治具本体への取付軸部２ａの一端に円筒状の挿入部２ｂを設けたものである。なお、このヘッド部２を先端側に取り付ける装着治具の本体自体は既存のものと同じであるため、詳細を割愛する。挿入部２ｂは、この実施形態において、全長にわたって内外が同一径であり、金属スリーブ４の全長よりもやや長く、その外径は樹脂スリーブ３の密着部３ａの内径よりもやや小径に設定されている。また、取付軸部２ａと挿入部２ｂとの間には、金属スリーブ４の上縁部４ｄに当接する外向きのフランジ部２ｃを設けている。
【００２５】
そして、ヘッド部２における挿入部２ｂの２箇所にはボールプランジャ５を背中合わせに設けている。このボールプランジャ５は、シリンダ部５ａに内蔵した付勢バネ５ｂによってヘッド部２の外周面から出没可能なボール型の可動凸部５ｃを前記外周面から突出する方向に付勢したものであって、この実施形態では、シリンダ部５ａをヘッド部２の挿入部２ｂに埋設固定して、その可動凸部５ｃが挿入部２ｂの外周面から一定量突出するようにしている。なお、プランジャ５の数は本実施形態に限定されず、１つ、あるいは３つ以上であってもよい。
【００２６】
次に、上記分水用コア１とヘッド部２を備えた本発明装置の使用方法を説明すると、分水用コア１は、まず金属スリーブ４の一端側の一部（テーパ状先端部４ａ及びストレート部４ｂの下半部）を樹脂スリーブ３の係止段部３ｂに嵌め入れて仮組みの状態とし（図１参照）、通常の作業ではこれらスリーブ３・４を一体のものとして不用意に分離しないようになっている。そして、この仮組み状態の分水用コア１にヘッド部２を金属スリーブ４側から挿入して装着前のセット準備を行うのであるが、この過程で、プランジャ５の可動凸部５ｃは、最初に金属スリーブ４のテーパ状口部４ｅに案内され、付勢バネ５ｂに抗して、シリンダ部５ａへの埋没を開始し（図３参照）、その後、埋没状態でテーパ状口部４ｅから環状凹部４ｆまでの内周面を摺動し、ヘッド部２のフランジ部２ｃが金属スリーブ４の上縁部４ｄに当接して、それ以上の挿入が規制された時点で、可動凸部５ｃは環状凹部４ｆに弾発的に係合する（図４参照）。このようにヘッド部２側のプランジャ５が金属スリーブ４の環状凹部４ｆに係合することによって、仮組み状態にある分水用コア１を正しい向きとして装着治具（ヘッド部２）に保持（セット）し、以降、この保持状態を維持して、分水孔への装着作業を行うことができる。
【００２７】
なお、上述のセット状態をより確実に維持するには、可動凸部５ｃが最大に突出した状態で環状凹部４ｆに係合することが好ましいが、これに満たず、突出代を残した状態（可動凸部５ｃがシリンダ部５ａ内にやや埋没した状態）で可動凸部５ｃが環状凹部４ｆに係合するものも排除しない。何れも場合もヘッド部２に分水用コア１を保持可能にセットすることができるからである。
【００２８】
これに対して、ヘッド部２を分水用コア１に対して誤った方向から挿入した場合、即ち、ヘッド部２を分水用コア１の樹脂スリーブ３側から挿入すると、図５に示したように、プランジャ５の可動凸部５ｃは、最大量突出して、尚かつ、密着部３ａの内周面との間に隙間を有することになる。したがって、この場合は、ヘッド部２を下向きとすれば、容易に分水用コア１が脱落してしまい、分水孔への装着作業を行うことができない。また、分水用コア１が脱落することによって、作業員は、その向きが誤っていることに気付き、正しい向きに分水用コア１をヘッド部２にセットすることができる。
【００２９】
図６は、第二の実施形態として、ヘッド部２の挿入部２ｂに設けるプランジャにピンプランジャ６を採用したものである。このピンプランジャ６は、可動凸部６ａがピン型であり、これをシリンダ部６ｂに内蔵した付勢バネ６ｃによって、可動凸部６ａ（ピン）の先端部が挿入部２ｂの周面から一定量突出するように構成したものである。ヘッド部２の他の構成、及び分水用コア１は、第一実施形態と変わるところはない。
【００３０】
そして、当該ヘッド部２を金属スリーブ４側から挿入し、可動凸部６ａが環状凹部４ｆに弾発的に係合することによって（図７参照）、仮組み状態の分水用コア１が当該ヘッド部２に保持可能となり、逆に、ヘッド部２を樹脂スリーブ３側から挿入すれば、可動凸部６ａが密着部３ａの内周面と非接触の状態で最大量突出し（図８参照）、分水用コア１がヘッド部２から脱落自在となることは、第一の実施形態と同じである。
【００３１】
なお、プランジャについて、第一実施形態のピンプランジャ６は第二実施形態のボールプランジャ５よりも可動凸部のストローク長（最大突出量）が大きい反面、正確なストロークに難がある（ガタが生じやすい）一方、ボールプランジャ５はピンプランジャ６よりもストローク長が小さい反面、可動凸部があらゆる方向から環状凹部４ｆに係合するという利点があり、それぞれ一長一短の関係にある。
【００３２】
ところで、呼び径４０である場合の図１・２に示した分水用コア１とヘッド部２の各寸法を例示すると、図１中、ｄ１は３６．２ｍｍ、ｄ２は３５．２ｍｍ、ｄ３は３５．６ｍｍであり、図２中、ｄ４は３６．１、ｄ５は３４．９ｍｍである。ただし、この他、分岐孔のサイズによって、呼び径５０や呼び径２５のものに本発明の装置を適用することができることはもちろんである。
【符号の説明】
【００３３】
１  分水用コア
２  ヘッド部
２ａ  取付軸部
２ｂ  挿入部
２ｃ  フランジ部
３  樹脂スリーブ
３ａ  密着部
３ｂ  係止段部
４  金属スリーブ
４ａ  テーパ状先端部
４ｂ  ストレート部
４ｃ  拡径部
４ｄ  上縁部
４ｅ  テーパ状口部
４ｆ  環状凹部
５  ピンプランジャ
５ａ  シリンダ部
５ｂ  付勢バネ
５ｃ  可動凸部
６  ボールプランジャ
６ａ  可動凸部
６ｂ  シリンダ部
６ｃ  付勢バネ
【図１】
0006696705.tif 000002
【図２】
0006696705.tif 000003
【図３】
0006696705.tif 000004
【図４】
0006696705.tif 000005
【図５】
0006696705.tif 000006
【図６】
0006696705.tif 000007
【図７】
0006696705.tif 000008
【図８】
0006696705.tif 000009
【図９】
0006696705.tif 000010
【図１０】
0006696705.tif 000011